(57)【特許請求の範囲】
【請求項１】
袋用紙に、取手ひもを取り付けることによって取手付き袋用紙を得る紙袋用取手取付け装置であって、
前記袋用紙に取付穴を形成する取付穴形成部と、前記取手ひもを前記取付穴に挿通させるひも通し部と、を備え、
前記ひも通し部は、前記取手ひもを搬送するひも搬送部と、前記袋用紙を搬送する用紙搬送部とを有し、
前記ひも搬送部は、端部を外方に向けた状態で前記取手ひもを保持するひもホルダと、前記袋用紙の搬送方向に沿って前記ひもホルダを搬送可能なホルダ搬送体とを備え、
前記ひも搬送部と前記用紙搬送部のうち少なくとも一方は、搬送過程において前記取手ひもまたは前記袋用紙の高さを調整することにより前記取手ひもの端部を前記取付穴に挿通させるひも挿通機構を有することを特徴とする紙袋用取手取付け装置。
【請求項２】
前記ひも挿通機構は、前記用紙搬送部に設けられ、前記搬送過程で前記袋用紙を前記ひも搬送部に近づけるガイド機構であることを特徴とする請求項１に記載の紙袋用取手取付け装置。
【請求項３】
前記ひもホルダは、前記取手ひもを保持する保持凹部を有し、
前記ひも供給部は、前記取手ひもを前記保持凹部内に押し込む押し込み部を備えていることを特徴とする請求項１または２に記載の紙袋用取手取付け装置。
【請求項４】
前記ひも供給部は、前記取手ひもの端部を成形する端部成形部を備えていることを特徴とする請求項１〜３のうちいずれか１項に記載の紙袋用取手取付け装置。
【請求項５】
前記ひも挿通機構は、前記ひも搬送部に設けられ、前記搬送過程で前記取手ひもを押し上げる押上機構であることを特徴とする請求項１に記載の紙袋用取手取付け装置。
【請求項６】
前記押上機構は、前記ひもホルダと、カムとを有し、
前記ひもホルダは、ホルダ基部と、前記ホルダ基部に対し前進および後退方向に移動可能な可動体と、前記後退位置にある可動体に係脱可能に係止する係止部と、前記係止部を動作させる駆動体を備え、
前記駆動体は、前記ひもホルダの搬送に伴って、前記カムによって力が加えられることで前記係止部による前記可動体の係止を解除し、前記可動体を前進させることによって前記取手ひもを押し上げることを特徴とする請求項５に記載の紙袋用取手取付け装置。
【発明の詳細な説明】
【技術分野】
【０００１】
本発明は、例えばショッピングバッグ等に使用できる紙袋の用紙に取手ひもを取り付ける紙袋用取手取付け装置に関する。
【背景技術】
【０００２】
紙袋を製造するには、まず、袋用紙に取手ひもを取り付けた取手付き袋用紙を作製し、次いで、この取手付き袋用紙を袋状に形成する。
図１４（ａ）に示すように、取手付き袋用紙は、例えば袋用紙１０１にループ状の取手ひも１０２が取り付けられた構造である。
図１４（ｂ）に示すように、この取手付き袋用紙は、台紙１０３に取手ひも１０２が取り付けられた取手体１０４を袋用紙１０１上に設置し、台紙１０３を包み込むように口折り部１０５を折り返して本体部１０６に糊付けして作製することができる。口折り部１０５には、取手ひも１０２を通すための切り込み１０７が形成されている。
取手付き袋用紙を製造する装置としては、例えば、特許文献１に記載されたものがある。
【先行技術文献】
【特許文献】
【０００３】
【特許文献１】特開平１１−０９１００３号公報
【発明の概要】
【発明が解決しようとする課題】
【０００４】
しかしながら、前記製造装置では、取手付き袋用紙の折り返し部１０５に切り込み１０７が形成されるため、美感の点で改善が望まれていた。
このため、袋用紙および台紙に取手ひも挿通用の取付穴を形成し、この取付穴に手作業で取手ひもを通し、その端部を袋用紙に固定する手法によって取手付き袋用紙を製造することも行われている。この手法によれば、切り込みのない取手付き袋用紙が得られるが、取手ひもを手作業で取付穴に通す作業が必要となるため、効率のよい製造が難しくなるという問題があった。
本発明は、このような状況に鑑みてなされたものであって、美感に優れた取手付き袋用紙を効率よく製造することができる紙袋用取手取付け装置を提供することを目的とする。
【課題を解決するための手段】
【０００５】
本発明の紙袋用取手取付け装置は、袋用紙に、取手ひもを取り付けることによって取手付き袋用紙を得る紙袋用取手取付け装置であって、前記袋用紙に取付穴を形成する取付穴形成部と、前記取手ひもを前記取付穴に挿通させるひも通し部と、を備え、前記ひも通し部は、前記取手ひもを搬送するひも搬送部と、前記袋用紙を搬送する用紙搬送部とを有し、前記ひも搬送部は、端部を外方に向けた状態で前記取手ひもを保持するひもホルダと、前記袋用紙の搬送方向に沿って前記ひもホルダを搬送可能なホルダ搬送体とを備え、前記ひも搬送部と前記用紙搬送部のうち少なくとも一方は、搬送過程において前記取手ひもまたは前記袋用紙の高さを調整することにより前記取手ひもの端部を前記取付穴に挿通させるひも挿通機構を有する紙袋用取手取付け装置である。
本発明の紙袋用取手取付け装置は、前記ひも挿通機構が、前記用紙搬送部に設けられ、前記搬送過程で前記袋用紙を前記ひも搬送部に近づけるガイド機構である構成を採用できる。
本発明の紙袋用取手取付け装置は、前記ひもホルダが、前記取手ひもを保持する保持凹部を有し、前記ひも供給部が、前記取手ひもを前記保持凹部内に押し込む押し込み部を備えている構成としてよい。
前記ひも供給部は、前記取手ひもの端部を成形する端部成形部を備えていることが好ましい。
本発明の紙袋用取手取付け装置は、前記ひも挿通機構が、前記ひも搬送部に設けられ、前記搬送過程で前記取手ひもを押し上げる押上機構である構成を採用できる。
前記押上機構は、前記ひもホルダと、カムとを有し、前記ひもホルダが、ホルダ基部と、前記ホルダ基部に対し前進および後退方向に移動可能な可動体と、前記後退位置にある可動体に係脱可能に係止する係止部と、前記係止部を動作させる駆動体を備え、前記駆動体が、前記ひもホルダの搬送に伴って、前記カムによって力が加えられることで前記係止部による前記可動体の係止を解除し、前記可動体を前進させることによって前記取手ひもを押し上げる構成としてよい。
【発明の効果】
【０００６】
本発明によれば、ひも搬送部と用紙搬送部のうち少なくとも一方に、取手ひもまたは袋用紙の高さを調整することにより取手ひもの端部を取付穴に挿通させるひも挿通機構を有するので、取手ひもの端部を取付穴に挿通させる作業を効率よく行うことができる。
従って、口折り部に切り込みがなく美感に優れた取手付き袋用紙を、効率よく製造することができる。
【図面の簡単な説明】
【０００７】
【図１】本発明の一実施形態である紙袋用取手取付け装置を示す概略構成図である。
【図２】台紙給紙部を示す概略構成図である。
【図３】ひも通し部を示す概略構成図である。
【図４】ひも供給部を示す概略構成図である。
【図５】ひも供給部の動作を示す説明図である。
【図６】ひも供給部の動作を示す説明図である。
【図７】ひも通し部の動作を示す説明図である。
【図８】折立て部の動作を示す説明図である。
【図９】前図に続く折立て部の動作を示す説明図である。
【図１０】折込み部の動作を示す説明図である。
【図１１】本発明の装置により作製された取手付き袋用紙の一例を示す斜視図である。
【図１２】ひも通し部の他の例の一部を示す概略構成図である。
【図１３】前図のひも通し部の他の一部を示す概略構成図である。
【図１４】従来の製造装置で作製された取手付き袋用紙の例を示す斜視図である。
【発明を実施するための形態】
【０００８】
図１は、本発明の第１の実施形態である紙袋用取手取付け装置を示す概略構成図である。図２は、台紙給紙部を示す概略構成図である。図３は、ひも通し部を示す概略構成図である。図４は、ひも供給部を示す概略構成図である。図５は、ひも供給部の動作を示す説明図である。図６は、ひも供給部の動作を示す説明図である。図７は、ひも通し部の動作を示す説明図である。図８は、折立て部の動作を示す説明図である。図９は、前図に続く折立て部の動作を示す説明図である。図１０は、折込み部の動作を示す説明図である。図１１は、取手付き袋用紙の一例を示す斜視図である。
【０００９】
図１に示すように、紙袋用取手取付け装置は、枚葉状の袋用紙１上に台紙３を供給する台紙供給部１１と、袋用紙１および台紙３に取付穴１ａ、３ａを形成する取付穴形成部１２と、取手ひも２を取付穴１ａ、３ａに挿通させるひも通し部１３と、袋用紙１の口折り部５を折り返す折り返し部１４とを備えている。
【００１０】
図２に示すように、台紙供給部１１は、原紙２１を供給する原紙供給部２２と、原紙２１を所定の大きさに切断して所定サイズの台紙３を得る切断部２３と、袋用紙１を搬送する用紙搬送部２４と、袋用紙１の所定部分に糊（接着材）を塗布する糊供給部２５と、台紙３を袋用紙１上に供給するローラ２６とを備えている。
用紙搬送部２４は、ベルトコンベア等が使用できるが、袋用紙１を搬送できるものであれば特に限定されない。
ローラ２６には、台紙３の位置決め精度を高めるため、図示しない吸気路に連通する吸気孔（図示略）を形成し、台紙３をローラ２６表面に吸着させることができる。
【００１１】
取付穴形成部１２は、袋用紙１の搬送方向に間隔をおいて設けられた第１穿孔部３１と第２穿孔部３２と、袋用紙１を搬送する用紙搬送部３３とを有する。
穿孔部３１、３２は、それぞれ穿孔ピン３１ａ、３２ａを備えている。穿孔ピン３１ａ、３２ａは、袋用紙１に取付穴１ａを形成するとともに、台紙３にも取付穴３ａを形成する。
穿孔部３１、３２が設けられている位置の用紙搬送部３３には、図示しない吸気路に連通する吸気孔（図示略）を形成し、袋用紙１を用紙搬送部３３に吸着させて位置決めすることで、取付穴１ａ、３ａの形成位置ずれを防止できる。
図１に示す符号２７は、台紙３の上面に取手ひも２の端部２ａを固定するための糊（接着材）を塗布する糊供給部である。
【００１２】
図３〜図５に示すように、ひも通し部１３は、取手ひも２を供給するひも供給部４１と、取手ひも２を搬送するひも搬送部４２と、袋用紙１を搬送する用紙搬送部４３とを備えている。
ひも搬送部４２は、プーリ４４に巻装された無端チェーン４５（無端巻装体）（ホルダ搬送体）と、これに取り付けられた複数のひもホルダ４６とを有する。
ひもホルダ４６は、取手ひも２を保持するものであって、断面Ｕ字形の保持凹部４７を有するブロック状に形成され、保持凹部４７が外方を向くように無端チェーン４５に取り付けられている。これら複数のひもホルダ４６は、無端チェーン４５の長さ方向に互いに間隔をおいて取り付けられている。
無端チェーン４５は、ひも搬送部４２の上部において、用紙搬送部４３による袋用紙１の搬送方向（図３の左方）に沿う方向にひもホルダ４６を搬送させることができる。ホルダ搬送体としては、ひもホルダ４６を搬送できるものであればチェーンに限らず、タイミングベルトなどを使用してもよい。
【００１３】
図４および図５に示すように、ひも供給部４１は、切断前の原ひも２Ａを供給する原ひも供給部５１と、原ひも２Ａの所定部分（取手ひも２の端部２ａに相当する部分）を成形する端部成形部５２と、原ひも２Ａを所定の長さに切断して取手ひも２とする切断部５３と、取手ひも２をひもホルダ４６の保持凹部４７内に押し込む押し込み部５４とを備えている。
ひも供給部４１はひも搬送部４２の下方に設置される。
図示例のひも供給部４１は、無端チェーン４５の長さ方向に互いに間隔をおいて２つ設けられており、これらが交互にひもホルダ４６に取手ひも２を供給する。
【００１４】
端部成形部５２は、取手ひも２の端部２ａを形崩れしにくくしたり、端部２ａを細径化して取付穴１ａ、３ａに挿入しやすくすることを目的として、原ひも２Ａの所定部分（取手ひも２の端部２ａに相当する部分）に圧縮や加熱等により成形を施すものである。
【００１５】
押し込み部５４は、押し込み具５５と、押し込み具５５をひもホルダ４６の移動方向に移動させる移動機構５６と、押し込み具５５を昇降させる昇降機構５７とを備えている。
押し込み具５５は、ひもホルダ４６の保持凹部４７の内面に沿う形状のヘッド部５８と、ヘッド部５８から延出するロッド部５９とを備えている。
移動機構５６は、ロッド部５９を保持し、これをガイドレール６０に沿って移動させることで、押し込み具５５をひもホルダ４６の移動方向（ひも搬送部４２の下部における移動方向。図３〜図５における右方）に移動させることができる。
昇降機構５７は、ロッド部５９を上下動させることで、押し込み具５５を昇降させる。
【００１６】
用紙搬送部４３は、袋用紙１を、ひもホルダ４６の移動方向（ひも搬送部４２の上部における移動方向。図３における左方）に搬送するものである。用紙搬送部４３は、袋用紙１の搬送方向の後端部１ｂ（図７（ａ）参照）を支える搬送爪６１を備えている。
【００１７】
用紙搬送部４３は、図示せぬガイド機構（ひも挿通機構）によって、袋用紙１の高さ位置が搬送方向に徐々に低くなるように構成されている。このガイド機構としては、例えば袋用紙１を支持する支持体（図示略）の位置を搬送方向に徐々に低くするガイドレールを例示できる。
このガイド機構によれば、搬送過程において袋用紙１を取手ひも２に近づく方向に移動させ、取手ひも２の端部２ａを取付穴１ａ、３ａに挿通させることができる。
【００１８】
図１、図８〜図１０に示すように、折り返し部１４は、袋用紙１の上面の所定部分に糊（接着材）を塗布する糊供給部７１（図１参照）と、袋用紙１を搬送する用紙搬送部７２と、袋用紙１の口折り部５を本体部６に対しほぼ垂直に折り上げる折上げ部７３と、口折り部５をさらに折り曲げて本体部６に重ねる折込み部７４と、を有する。
図８および図９に示すように、折上げ部７３は、本体部６を支える押さえ部材７５と、口折り部５を押し上げる押し上げ部材７６とを備えている。
【００１９】
押さえ部材７５は、袋用紙１の搬送方向に延在するロッド状に形成され、外面７５ａ（押し上げ部材７６に対向する面）は、用紙搬送部７２の載置面７２ａに対しほぼ垂直に形成されている。
押し上げ部材７６は、袋用紙１の搬送方向に延在するロッド状に形成されている。押し上げ部材７６は、押さえ部材７５に対し、口折り部５が通過可能な間隔をおいて近接して設置される。
【００２０】
押し上げ部材７６の内面７６ａは、袋用紙１の搬送方向の後端部７６ｂでは載置面７２ａに平行であるが、搬送方向に徐々に傾斜を増し、前端部７６ｃでは載置面７２ａに対しほぼ垂直となるように形成されている。
これによって、押し上げ部材７６の内面７６ａは、袋用紙１の搬送に従って口折り部５を徐々に押し上げ、載置面７２ａ上の本体部６に対しほぼ垂直となるまで折り曲げることができる。
【００２１】
図１０に示すように、折込み部７４は、搬送方向に徐々に内方変位する棒状に形成されている。このため、本体部６に対しほぼ垂直となった口折り部５を外面側から押圧し、本体部６に重なるまで内側に折り曲げることができる。
【００２２】
次に、この紙袋用取手取付け装置を用いて取手付き袋用紙を製造する方法の一例を説明する。
図１および図２に示すように、台紙供給部１１の原紙供給部２２からの原紙２１を、切断部２３で所定の大きさに切断して台紙３を得る。
用紙搬送部２４によって袋用紙１を搬送しつつ、糊供給部２５によって所定部分（台紙３が貼り付けられる部分）に糊を塗布する。
次いで、ローラ２６により袋用紙１の上面の所定位置に台紙３を貼り付ける。図示例では１枚の袋用紙１あたり２枚の台紙３が貼り付けられる。
【００２３】
次いで、取付穴形成部１２の穿孔部３１、３２の穿孔ピン３１ａ、３２ａによって、用紙搬送部２４上を搬送される袋用紙１および台紙３に、取手ひも２を取り付けるための取付穴１ａ、３ａを形成する。台紙３の上面には、糊供給部２７によって、取手ひも２を固定するための糊（接着材）を塗布する。
袋用紙１は、ひも通し部１３に送られる。
【００２４】
次に、図３〜図７を参照して、ひも通し部１３において取手ひも２を取付穴１ａ、３ａに挿通させる手順について説明する。
図４および図５に示すように、ひも供給部４１の原ひも供給部５１から供給された原ひも２Ａの所定部分（取手ひも２の端部２ａに相当する部分）を、端部成形部５２に導入し、圧縮や加熱等により成形を施す。これによって、取手ひも２の端部２ａを形崩れしにくくすることができる。また、取手ひも２の端部２ａを細径化し、取付穴１ａ、３ａに挿入しやすくすることができる。
次いで、切断部５３において、端部成形部５２による成形部分を切断する。切断位置は、端部成形部５２による成形部分の長さ方向の中間位置が好ましい。これによって、両端部２ａに前記成形が施された取手ひも２が得られる。
【００２５】
次いで、プーリ４４を駆動し、無端チェーン４５によりひもホルダ４６を移動させるとともに、押し込み部５４において、移動機構５６により押し込み具５５をひもホルダ４６の移動方向（ひも搬送部４２の下部における移動方向。図３〜図５における右方）にひもホルダ４６と同じ速度で移動させる。
【００２６】
図６（ａ）〜図６（ｃ）に示すように、この移動過程で、昇降機構５７により押し込み具５５を上昇させ、ヘッド部５８によって取手ひも２を押し上げ、ひもホルダ４６の保持凹部４７内に押し入れる。取手ひも２は保持凹部４７の内面に沿うＵ字形となり、端部２ａを外方（図６（ｃ）では下方）に向けた状態となる。
図５に示すように、押し込み具５５を下降させ、ひもホルダ４６から離間させる。取手ひも２は保持凹部４７内に保持されて、ひもホルダ４６とともに搬送される。
【００２７】
図７（ａ）に示すように、無端チェーン４５の移動に従って、ひもホルダ４６はひも搬送部４２の上部側に至る。この段階では袋用紙１は比較的上方にあるため、取手ひも２から離間している。
図７（ｂ）および図７（ｃ）に示すように、袋用紙１およびひもホルダ４６が搬送方向（図３では左方）に移動するに従って、用紙搬送部４３のガイド機構（図示略）によって袋用紙１は徐々に下降し、取手ひも２の端部２ａが取付穴１ａ、３ａに挿入される。
図７（ｄ）および図７（ｅ）に示すように、図示せぬ押し曲げ機構によって、台紙３の上面側に突出した取手ひも２の端部２ａを折り曲げて台紙３の上面に糊付け等により固定するのが好ましい。
袋用紙１は、折り返し部１４に送られる。
【００２８】
図８および図９に示すように、折り返し部１４では、袋用紙１は、糊供給部７１（図１参照）によって糊が塗布された後、用紙搬送部７２の載置面７２ａ上に載せられて搬送される。
袋用紙１の口折り部５は、折上げ部７３の押さえ部材７５と押し上げ部材７６の間に導入され、搬送過程で押し上げ部材７６の内面７６ａによって徐々に押し上げられ、本体部６に対しほぼ垂直となるまで折り曲げられる。
【００２９】
図９および図１０に示すように、口折り部５は、搬送過程で折込み部７４によって外面側から押圧され、本体部６に重なるまで内側に折り曲げられ、本体部６に糊付け固定される。
折込み部７４による口折り部５の折り曲げとともに、取手ひも２は折込み部７４によって本体部６に沿う方向に折り曲げられる。
上記工程により得られる取手付き袋用紙の一例である取手付き袋用紙１０を図１１に示す。
【００３０】
上記紙袋用取手取付け装置では、用紙搬送部４３が、搬送過程において袋用紙１の高さを調整することにより取手ひも２の端部２ａを取付穴１ａに挿通させるガイド機構（ひも挿通機構）を有するので、取手ひも２の端部２ａを取付穴１ａに挿通させる作業を効率よく行うことができる。
図１１に示すように、この装置で得られる取手付き袋用紙１０は、口折り部５に切り込みがなく、美感の点で優れている。
従って、美感に優れた取手付き袋用紙を効率よく製造することができる。
【００３１】
上記装置では、手作業により取手ひも２を袋用紙１に取り付ける場合に比べ、各工程において正確な操作が可能となるため、製品の品質を向上させ、信頼性を高めることができる。
また、取付穴１ａ、３ａの形成、取手ひも２の取り付け、口折り部５の折り曲げ等を一連の工程で行うことができるため、製品（取手付き袋用紙）の運搬等の手間を省くことができる。また、製品保管のためのスペースを削減できる。製造コスト低減も可能となる。
【００３２】
次に、本発明の第２の実施形態について説明する。この実施形態の紙袋用取手取付け装置は、ひも通し部８３以外は図１等に示す第１の実施形態と同様の構成である。
図１２および図１３は、ひも通し部８３のひも搬送部８２の下部を示す概略構成図である。
ひも搬送部８２は、ひもホルダ８６が、取手ひも２を押し上げる押上機構８１（ひも挿通機構）（図１３参照）を有する点で、図３〜図５に示すひも搬送部４２と異なる。
ひもホルダ８６は、収容部８７ａを有するホルダ基部８７と、収容部８７ａ内に設けられてホルダ基部８７に対し移動可能な可動体８８と、可動体８８を係脱可能に係止する係止部８９と、係止部８９を動作させる駆動体９０とを備えている。
図１３に示すように、ひも搬送部８２は、駆動体９０を動作させるカム９１を備えている。ひもホルダ８６とカム９１は取手ひも２を押し上げる押上機構８１を構成する。
【００３３】
可動体８８は、保持凹部４７を有するブロック状に形成され、図１２（ａ）および図１２（ｂ）に示す前進位置と、図１２（ｃ）〜図１２（ｅ）に示す後退位置との間で移動可能である。可動体８８は、コイルスプリングなどの付勢手段９２によってホルダ基部８７に対し前進する方向（図１２における下方）に付勢されている。
係止部８９は、ギヤ９３ａを有する第１回動体９３と、ギヤ９３ａに噛み合うギヤ９４ａを有する第２回動体９４とを備えている。
回動体９３、９４は、回動体基部９３ｂ、９４ｂと、回動体基部９３ｂ、９４ｂから延出するアーム部９３ｃ、９４ｃとを有し、それぞれギヤ９３ａ、９４ａの中心を以て回動可能である。アーム部９３ｃ、９４ｃの先端には、後退位置にある可動体８８の前進を規制する係止爪９３ｄ、９４ｄが形成されている。
回動体９３、９４は、互いに噛み合うギヤ９３ａ、９４ａを有するため、アーム部９３ｃ、９４ｃ同士が近づく方向または離れる方向に連動する。
駆動体９０は、第１回動体９３の回動体基部９３ｂに設けられたブロック状体であり、カム９１によって傾斜面９０ａに力が加えられることで第１回動体９３を回動させる。
【００３４】
図１２（ａ）、図１２（ｂ）に示すように、ひも搬送部８２の下部において、ひもホルダ８６（可動体８８は前進位置にある）が所定の位置に至ると、押し込み具５５が上昇し、ヘッド部５８によって取手ひも２が可動体８８の保持凹部４７内に押し込まれる。
この際、ヘッド部５８による押圧によって可動体８８は収容部８７ａ内で後退し（図１２では上方移動）、図１２（ｃ）〜図１２（ｅ）に示す後退位置に至る。
可動体８８が後退位置に至ると、図示せぬ付勢手段により付勢された回動体９３、９４が、アーム部９３ｃ、９４ｃ同士が近づく方向に回動し、係止爪９３ｄ、９４ｄが可動体８８の前端８８ａに係止し、可動体８８は、前進が規制された状態となる。
【００３５】
図１３（ｅ）に示すように、無端チェーン４５の移動に従って、ひもホルダ８６はひも搬送部８２の上部側に至る。この状態では取手ひも２は袋用紙１の取付穴１ａ、３ａに挿通していない。
図１３（ｄ）に示すように、ひもホルダ８６が搬送方向に進むと、駆動体９０の傾斜面９０ａがカム９１に接触する。
図１３（ｃ）〜図１３（ｅ）に示すように、ひもホルダ８６がさらに搬送方向に進むと、カム９１によって駆動体９０の傾斜面９０ａが押圧され、第１回動体９３が回動するとともに第２回動体９４も回動し、アーム部９３ｃ、９４ｃ同士が離れる方向に移動し、係止爪９３ｄ、９４ｄが可動体８８の前端８８ａから離れて可動体８８の規制が解除され、可動体８８は付勢手段９２によって前進する（図１３における上方移動）。これによって、取手ひも２が上昇し、端部２ａが取付穴１ａ、３ａに挿通する。
【００３６】
図１２（ａ）〜図１２（ｃ）に示すように、ひもホルダ８６は、再びひも搬送部８２の下部に至り、押し込み具５５によって取手ひも２が保持凹部４７内に押し込まれるとともに、可動体８８は後退位置に至る。
【００３７】
上記紙袋用取手取付け装置では、ひも搬送部８２が、搬送過程において可動体８８の前進により取手ひも２を上昇させて取付穴１ａ、３ａに挿通させる押上機構８１を有するので、取手ひも２の端部２ａを取付穴１ａ、３ａに挿通させる作業を効率よく行うことができる。
従って、美感に優れた取手付き袋用紙を効率よく製造することができる。
また、袋用紙１の高さ調整のための機構が不要となるため、用紙搬送部の構造を簡略化できる。
なお、本発明の紙袋用取手取付け装置は、ひも搬送部に取手ひもを押し上げる機構を設け、かつ用紙搬送部に袋用紙の高さを調整する機構を設けてもよい。
【符号の説明】
【００３８】
１・・・袋用紙、２・・・取手ひも、１２・・・取付穴形成部、１３・・・ひも通し部、１４・・・折り返し部、４１・・・ひも供給部、４２・・・ひも搬送部、４３・・・用紙搬送部、４６・・・ひもホルダ、４５・・・無端チェーン（ホルダ搬送体）、４７・・・保持凹部、５４・・・押し込み部、５２・・・端部成形部、８１・・・押上機構（ひも挿通機構）、８６・・・ひもホルダ、８７・・・ホルダ基部、８８・・・可動体、８９・・・係止部、９０・・・駆動体、９１・・・カム。
【図１】
0005518660.tif 000002
【図２】
0005518660.tif 000003
【図３】
0005518660.tif 000004
【図４】
0005518660.tif 000005
【図５】
0005518660.tif 000006
【図６】
0005518660.tif 000007
【図７】
0005518660.tif 000008
【図８】
0005518660.tif 000009
【図９】
0005518660.tif 000010
【図１０】
0005518660.tif 000011
【図１１】
0005518660.tif 000012
【図１２】
0005518660.tif 000013
【図１３】
0005518660.tif 000014
【図１４】
0005518660.tif 000015